Podtech/llm-jp-corpus-v4-ja_patent huggingface dataset:
【手続補正書】
【提出日】令和3年6月25日(2021.6.25)
【手続補正１】
【補正対象書類名】明細書
【補正対象項目名】００３１
【補正方法】変更
【補正の内容】
【００３１】
＜実施例１＞
横編み機を用い、ポリエチレンの糸部材を用いてネットを縫製し、開口端部から５ｍｍの範囲において弾性糸を併用して、ネット端部の目付けが１．０ｍｇ/ｍｍ２となるように度目を調整し、ネット端部の面積が幅方向８０ｍｍ、長さ方向１０ｍｍとなるように、１つのスポンジ挿入部を有する袋状のネットを一体的に作製した。次に、前記袋状のネットにスポンジを挿入し、その後、超音波溶着機で凹凸形状のホーンを用いて、ホーンの凸部分同士を接触させることで、スポンジ挿入部であるネットスポンジのネット端部を幅方向に２ｍｍ間隔でネット接着部（２ｍｍ×２ｍｍ）を作製した。このときの、ネット接着部の面積はネット端部の面積の１５％であった。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
被検眼の組織の画像である眼科画像を処理する眼科画像処理装置であって、
前記眼科画像処理装置の制御部は、
眼科画像撮影装置によって撮影された眼科画像である基画像を取得し、
機械学習アルゴリズムによって訓練された数学モデルに前記基画像を入力することで、画像解像度が前記基画像の画像解像度よりも高い目的画像を取得し、
前記数学モデルは、同一の組織の部位を撮影対象とし、且つ、同一の眼科画像撮影装置によって撮影された複数の眼科画像のセットのうち、少なくとも１つの眼科画像である低解像度訓練画像を入力用訓練データとし、前記低解像度訓練画像よりも画像解像度が高い眼科画像である高解像度訓練画像を出力用訓練データとして訓練されていることを特徴とする眼科画像処理装置。
【請求項２】
請求項１に記載の眼科画像処理装置であって、
前記基画像、前記低解像度訓練画像、および前記高解像度訓練画像は、ＯＣＴ装置によって撮影された前記被検眼の眼底のＯＣＴアンジオ画像であることを特徴とする眼科画像処理装置。
【請求項３】
請求項１または２に記載の眼科画像処理装置であって、
複数の前記高解像度訓練画像の少なくともいずれかは、完全には重複しない複数の撮影領域の各々において撮影された複数の眼科画像を位置合わせすることで生成された、パノラマ画像であることを特徴とする眼科画像処理装置。
【請求項４】
請求項３に記載の眼科画像処理装置であって、
前記低解像度訓練画像の少なくともいずれかは、前記パノラマ画像の画像解像度を低下させることで生成された画像であることを特徴とする眼科画像処理装置。
【請求項５】
参照光と、被検眼の組織に照射された測定光の反射光とによるＯＣＴ信号を処理することで、前記組織の眼科画像を撮影するＯＣＴ装置であって、
前記ＯＣＴ装置の制御部は、
撮影した眼科画像を基画像として取得し、
機械学習アルゴリズムによって訓練された数学モデルに前記基画像を入力することで、画像解像度が前記基画像の画像解像度よりも高い目的画像を取得し、
前記数学モデルは、同一の組織の部位を撮影対象とし、且つ、同一の眼科画像撮影装置によって撮影された複数の眼科画像のセットのうち、少なくとも１つの眼科画像である低解像度訓練画像を入力用訓練データとし、前記低解像度訓練画像よりも画像解像度が高い眼科画像である高解像度訓練画像を出力用訓練データとして訓練されていることを特徴とするＯＣＴ装置。
【請求項６】
被検眼の組織の画像である眼科画像を処理する眼科画像処理装置によって実行される眼科画像処理プログラムであって、
前記眼科画像処理プログラムが前記眼科画像処理装置の制御部によって実行されることで、
眼科画像撮影装置によって撮影された眼科画像である基画像を取得する基画像取得ステップと、
機械学習アルゴリズムによって訓練された数学モデルに前記基画像を入力することで、画像解像度が前記基画像の画像解像度よりも高い目的画像を取得する目的画像取得ステップと、
を前記眼科画像処理装置に実行させ、
前記数学モデルは、同一の組織の部位を撮影対象とし、且つ、同一の眼科画像撮影装置によって撮影された複数の眼科画像のセットのうち、少なくとも１つの眼科画像である低解像度訓練画像を入力用訓練データとし、前記低解像度訓練画像よりも画像解像度が高い眼科画像である高解像度訓練画像を出力用訓練データとして訓練されていることを特徴とする眼科画像処理プログラム。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤に設けられ、遊技機前方側から視認可能な所定の装飾部を発光装飾する発光部と、
前記発光部とは別の別発光部と、
所定の不正行為を検出する不正検出部と、
前記発光部の発光態様および前記別発光部の発光態様を制御する発光制御手段と、
所定の光量調整操作に基づいて、光量を調整可能な光量調整手段と、
遊技機の後方に膨出する後方膨出部に設けられる透光部と、を備え、
前記透光部は、前記発光部が発光しているときに、該発光部から発せられる光を透光するように設けられており、
前記発光部は、通常の状態であるときには前記光量調整操作に基づく光量の変化が可能であるが、前記不正検出部により所定の不正が検出された特定状態と判断されると、前記光量調整操作に基づく光量の変化が不能になり、
前記別発光部は、前記特定状態と判断されるか否かにかかわらず前記光量調整操作に基づく光量の変化が不能であり、
前記発光制御手段は、前記特定状態と判断された場合に、前記発光部の発光態様を変更するものであって、
少なくとも前記特定状態にあるときに、前記発光部と前記別発光部のうちの前記発光部から発せられる光を、前記透光部から透光させるものであり、
さらに、前記発光部から発せられる光が当該遊技機の後方側から視認できる部位は、当該遊技機の背面に複数設けられる
ことを特徴とする遊技機。
【手続補正２】
【補正対象書類名】明細書
【補正対象項目名】０００６
【補正方法】変更
【補正の内容】
【０００６】
本発明は、
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤に設けられ、遊技機前方側から視認可能な所定の装飾部を発光装飾する発光部と、
前記発光部とは別の別発光部と、
所定の不正行為を検出する不正検出部と、
前記発光部の発光態様および前記別発光部の発光態様を制御する発光制御手段と、
所定の光量調整操作に基づいて、光量を調整可能な光量調整手段と、
遊技機の後方に膨出する後方膨出部に設けられる透光部と、を備え、
前記透光部は、前記発光部が発光しているときに、該発光部から発せられる光を透光するように設けられており、
前記発光部は、通常の状態であるときには前記光量調整操作に基づく光量の変化が可能であるが、前記不正検出部により所定の不正が検出された特定状態と判断されると、前記光量調整操作に基づく光量の変化が不能になり、
前記別発光部は、前記特定状態と判断されるか否かにかかわらず前記光量調整操作に基づく光量の変化が不能であり、
前記発光制御手段は、前記特定状態と判断された場合に、前記発光部の発光態様を変更するものであって、
少なくとも前記特定状態にあるときに、前記発光部と前記別発光部のうちの前記発光部から発せられる光を、前記透光部から透光させるものであり、
さらに、前記発光部から発せられる光が当該遊技機の後方側から視認できる部位は、当該遊技機の背面に複数設けられる
ことを特徴とする。
【手続補正３】
【補正対象書類名】明細書
【補正対象項目名】０００７
【補正方法】削除
【補正の内容】
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
遊技領域に設けられた始動口への入球に起因して導出表示を行い、該導出表示の結果に基づいて遊技者に有利な大当り遊技状態に制御可能な弾球遊技機であって、
前記導出表示に応じて擬似図柄の変動演出を表示する演出表示装置と、
前記始動口へ入球しながら未だ開始されていない前記導出表示に関する情報を記憶する保留記憶手段と、
前記保留記憶手段が記憶する前記情報の数に応じて前記演出表示装置に保留図柄を表示する保留図柄表示手段と、
前記導出表示を開始する前に前記情報を先読判定する先読判定手段と、
前記先読判定手段の判定結果に基づいて、前記擬似図柄の表示領域に先読演出を表示する先読演出表示手段と、を備え、
前記保留図柄表示手段は、所定の演出の実施中は前記保留図柄を非表示とし、
前記先読演出表示手段は、前記保留図柄が前記非表示の場合、次回の前記導出表示を開始するまで前記先読演出の表示を保留し、
通常の前記先読演出と、再開した場合の前記先読演出とでは、大当り期待度が示唆される保留図柄の表示態様が異なる
ことを特徴とする弾球遊技機。
【手続補正２】
【補正対象書類名】明細書
【補正対象項目名】０００８
【補正方法】変更
【補正の内容】
【０００８】
請求項１記載の弾球遊技機は、
遊技領域に設けられた始動口への入球に起因して導出表示を行い、該導出表示の結果に基づいて遊技者に有利な大当り遊技状態に制御可能な弾球遊技機であって、
前記導出表示に応じて擬似図柄の変動演出を表示する演出表示装置と、
前記始動口へ入球しながら未だ開始されていない前記導出表示に関する情報を記憶する保留記憶手段と、
前記保留記憶手段が記憶する前記情報の数に応じて前記演出表示装置に保留図柄を表示する保留図柄表示手段と、
前記導出表示を開始する前に前記情報を先読判定する先読判定手段と、
前記先読判定手段の判定結果に基づいて、前記擬似図柄の表示領域に先読演出を表示する先読演出表示手段と、を備え、
前記保留図柄表示手段は、所定の演出の実施中は前記保留図柄を非表示とし、
前記先読演出表示手段は、前記保留図柄が前記非表示の場合、次回の前記導出表示を開始するまで前記先読演出の表示を保留し、
通常の前記先読演出と、再開した場合の前記先読演出とでは、大当り期待度が示唆される保留図柄の表示態様が異なる
ことを特徴とする弾球遊技機である。
【手続補正３】
【補正対象書類名】明細書
【補正対象項目名】００１５
【補正方法】変更
【補正の内容】
【００１５】
また、第２の発明は、
請求項１の弾球遊技機において、
前記先読演出表示手段は、前記非表示が終了すると前記先読演出の表示を行う
ことを特徴とする弾球遊技機である。
【手続補正４】
【補正対象書類名】明細書
【補正対象項目名】００１７
【補正方法】変更
【補正の内容】
【００１７】
また、第３の発明は、
請求項１又は第２の発明の弾球遊技機において、
前記所定の演出をリーチ演出、又は／及びリーチが成立する前に実施する予告演出とする
ことを特徴とする弾球遊技機である。
【手続補正５】
【補正対象書類名】明細書
【補正対象項目名】００１９
【補正方法】変更
【補正の内容】
【００１９】
第２の発明の弾球遊技機によれば、請求項１と同様の効果を奏しながら、非表示が終了すると先読演出が表示されるので、記憶した情報に係る演出機会を損なうことがない。
【手続補正６】
【補正対象書類名】明細書
【補正対象項目名】００２０
【補正方法】変更
【補正の内容】
【００２０】
第３の発明の弾球遊技機によれば、請求項１又は第２の発明と同様の効果を奏しながら、リーチ演出、又は／及びリーチが成立する前に実施する予告演出という変動中の図柄に係る演出と、記憶した情報に係る演出（先読演出）とを混同することがない弾球遊技機を提供できる。
【手続補正７】
【補正対象書類名】明細書
【補正対象項目名】０１１０
【補正方法】変更
【補正の内容】
【０１１０】
Ｓ７７５が否定判定、即ち、Ｓ７６０で選択した演出態様が、保留図柄を非表示とするものであるなら（変動開始直後、又は変動開始から所定時間経過後に保留図柄の非表示状態となるものであるなら）、Ｓ７７０に進みリターンする。但し、この場合（２回の変動表示に亘って先読演出保留を行う場合）は、花吹雪演出（先読演出）の保留をキャンセルしてもよい。また、当該処理時の先読演出に対応する保留記憶の記憶順（記憶位置）を参照し、次回の変動時にも保留記憶として残る記憶順であれば、そのまま花吹雪演出（先読演出）の保留を継続してもよい。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
複数の特典付与条件の中から一の特典付与条件を定める情報である設定情報を決定可能な設定情報決定手段と、
少なくとも前記設定情報が決定されたことを契機として、前記設定情報に対応した前記一の特典付与条件を記憶する特典付与条件記憶手段と、
遊技球が入球可能な入球手段と、
前記入球手段への遊技球の入球を契機として特別情報を取得する特別情報取得手段と、
前記特別情報が前記特典付与条件記憶手段に記憶されている前記一の特典付与条件を満たすか否かを判定する特別情報判定手段と、
前記特別情報が前記一の特典付与条件を満たすと判定された場合に遊技者に特典を付与する特典付与手段と、
を備える
ことを特徴とする遊技機。
【手続補正２】
【補正対象書類名】明細書
【補正対象項目名】０００７
【補正方法】変更
【補正の内容】
【０００７】
[形態]（本形態は、主に、下記の第１実施形態の態様１１０に基づく）
複数の特典付与条件の中から一の特典付与条件を定める情報である設定情報を決定可能な設定情報決定手段と、
少なくとも前記設定情報が決定されたことを契機として、前記設定情報に対応した前記一の特典付与条件を記憶する特典付与条件記憶手段と、
遊技球が入球可能な入球手段と、
前記入球手段への遊技球の入球を契機として特別情報を取得する特別情報取得手段と、
前記特別情報が前記特典付与条件記憶手段に記憶されている前記一の特典付与条件を満たすか否かを判定する特別情報判定手段と、
前記特別情報が前記一の特典付与条件を満たすと判定された場合に遊技者に特典を付与する特典付与手段と、
を備える
ことを特徴とする遊技機。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
遊技中に抽選契機が発生すると、所定の抽選を実行する抽選実行手段と、
少なくとも前記所定の抽選の当選確率に関する設定を記憶可能な設定記憶手段と、
特別な条件が満たされた場合、前記設定の値を確認可能な設定確認状態に移行させる設定確認状態移行手段と、
前記設定確認状態において外部機器に対して特別情報を送信する特別情報送信処理を実行する特別情報送信処理実行手段と、
前記設定確認状態が一定時間未満で終了する状況が発生する場合であっても、前記外部機器に対して前記特別情報を少なくとも前記一定時間にわたり継続して送信する特別情報継続送信処理を実行する特別情報継続送信処理実行手段と
を備える遊技機。
【請求項２】
請求項１に記載の遊技機において、
前記特別情報継続送信処理実行手段は、
前記設定確認状態が終了した場合、前記設定確認状態が前記一定時間未満で終了したか否かに関わらず、前記一定時間に対応する所定のタイマによる時間の計時を開始し、前記所定のタイマがタイムアップするまで、前記外部機器に対して前記特別情報を送信することを特徴とする遊技機。
【請求項３】
請求項１又は２に記載の遊技機において、
特殊な条件が満たされた場合、規定のＲＡＭの値をクリアするＲＡＭクリア処理を実行するとともに、前記設定の値を変更可能な設定変更状態に移行させる設定変更状態移行手段を備え、
前記特別情報送信処理実行手段は、
前記ＲＡＭクリア処理の実行に際して及び前記設定変更状態において前記外部機器に対して前記特別情報を送信し、
前記特別情報継続送信処理実行手段は、
前記特別情報継続送信処理とは別の処理であり、かつ、前記設定変更状態が前記一定時間未満で終了する状況が発生した場合であっても、前記外部機器に対して前記特別情報を少なくとも前記一定時間にわたり継続して送信する特別送信処理を実行し、その後、前記設定変更状態が終了した場合、前記特別情報継続送信処理の実行を回避することなく前記特別情報継続送信処理を実行することを特徴とする遊技機。
【手続補正２】
【補正対象書類名】明細書
【補正対象項目名】００８９
【補正方法】変更
【補正の内容】
【００８９】
設定が変更された場合、主制御ＣＰＵ７２は、変更後の設定値をＲＡＭ７６の設定値バッファ（設定記憶手段）に記憶する。設定値バッファは、バックアップの対象となるメモリ領域とすることができる。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
遊技領域と、
表示部と、
所定の演出を実行可能な演出実行手段と、を備え、
前記演出実行手段は、
前記遊技領域と一部異なっている領域画像を前記表示部に表示する画像演出を実行可能であることを特徴とする遊技機。
【請求項２】
請求項１に記載の遊技機であって、
前記遊技領域に設けた所定の入球口を備え、
前記領域画像には、前記所定の入球口に対応する画像がないことを特徴とする遊技機。
【請求項３】
請求項１に記載の遊技機であって、
前記遊技領域に設けた所定の入球口を備え、
前記領域画像では、前記所定の入球口の画像が視認困難になっていることを特徴とする遊技機。
【請求項４】
請求項３に記載の遊技機であって、
前記所定の入球口は、
開閉部材の作動により開閉可能であり、
前記領域画像では、前記所定の入球口の画像に加え、閉状態にある前記開閉部材の画像も視認困難になっていることを特徴とする遊技機。
【請求項５】
請求項２から請求項４までのいずれか１項に記載の遊技機であって、
遊技者に有利な有利遊技状態に設定可能な設定手段を備え、
前記所定の入球口は、
開閉部材の作動によって、前記有利遊技状態において開閉可能であり、
前記画像演出は、
前記有利遊技状態の設定前に実行されるときがあることを特徴とする遊技機。
【手続補正２】
【補正対象書類名】明細書
【補正対象項目名】０００５
【補正方法】変更
【補正の内容】
【０００５】
本発明の遊技機は、
遊技領域と、
表示部と、
所定の演出を実行可能な演出実行手段と、を備え、
前記演出実行手段は、
前記遊技領域と一部異なっている領域画像を前記表示部に表示する画像演出を実行可能であることを特徴とする。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて遊技者に有利な特別遊技状態に制御する遊技機において、
特定領域への遊技球の通過に基づいて所定の特典を付与する遊技制御手段と、
前記特別遊技状態にて、大入賞口への遊技球の入賞に基づく入賞音を発生させることが可能な入賞音制御手段と、を備え、
前記特別遊技状態では、大入賞口への遊技球の入賞が可能な単位遊技が複数回実行され、
前記入賞音制御手段は、
前記単位遊技が開始されること、且つ当該単位遊技の前の単位遊技で遊技球が前記特定領域を通過したことにより、当該単位遊技での入賞音を、当該単位遊技が開始される前の入賞音から変化可能であることを特徴とする遊技機。
【手続補正２】
【補正対象書類名】明細書
【補正対象項目名】０００６
【補正方法】変更
【補正の内容】
【０００６】
本発明の遊技機は、
所定の制御条件の成立に基づいて遊技者に有利な特別遊技状態に制御する遊技機において、
特定領域への遊技球の通過に基づいて所定の特典を付与する遊技制御手段と、
前記特別遊技状態にて、大入賞口への遊技球の入賞に基づく入賞音を発生させることが可能な入賞音制御手段と、を備え、
前記特別遊技状態では、大入賞口への遊技球の入賞が可能な単位遊技が複数回実行され、
前記入賞音制御手段は、
前記単位遊技が開始されること、且つ当該単位遊技の前の単位遊技で遊技球が前記特定領域を通過したことにより、当該単位遊技での入賞音を、当該単位遊技が開始される前の入賞音から変化可能であることを特徴とする遊技機である。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
ゲームを表示可能な表示手段と、
企業名を案内する企業名識別表示を表示する企業名表示手段と、
遊技に関する設定を設定可能な設定手段と、
前記設定手段により設定された前記遊技に関する設定に対応した表示を含めた前記企業名識別表示を前記表示手段に表示可能な制御手段と、を備える、
遊技機。
【手続補正２】
【補正対象書類名】明細書
【補正対象項目名】０００６
【補正方法】変更
【補正の内容】
【０００６】
また、上記目的を達成するために、以下に示すような、遊技機が提供される。遊技機は、ゲームを表示可能な表示手段と、企業名を案内する企業名識別表示を表示する企業名表示手段と、遊技に関する設定を設定可能な設定手段と、前記設定手段により設定された前記遊技に関する設定に対応した表示を含めた前記企業名識別表示を前記表示手段に表示可能な制御手段と、を備える。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にすることが可能な遊技機において、
表示部を含む所定の演出手段を用いて演出を実行可能な演出制御手段を備え、
前記演出制御手段は、
前記表示部において、所定の背景画像および複数の演出図柄を表示可能であり、
前記複数の演出図柄を変動表示させた後に特定態様で停止表示させると、前記特別遊技状態になり、
変動表示していた前記複数の演出図柄の中の一部を所定態様で停止させ、当該停止状態を維持しながら進行するリーチ演出を実行することが可能であり、
前記背景画像および前記複数の演出図柄を一度隠して再度視認可能にさせる特定演出の後に、前記特別遊技状態になる可能性があることを示唆する示唆演出を実行することがあり、
前記リーチ演出として、前記示唆演出の後に、前記特別遊技状態になる可能性が高いことを示唆する高期待度リーチ演出を実行することがあることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技状態にすることが可能な遊技機において、
表示部を含む所定の演出手段を用いて演出を実行可能な演出制御手段を備え、
前記演出制御手段は、
前記表示部において、所定の背景画像および複数の演出図柄を表示可能であり、
前記複数の演出図柄を変動表示させた後に特定態様で停止表示させると、前記特別遊技状態になり、
変動表示していた前記複数の演出図柄の中の一部を所定態様で停止させ、当該停止状態を維持しながら進行するリーチ演出を実行することが可能であり、
前記背景画像および前記複数の演出図柄を一度隠して再度視認可能にさせる特定演出の後に、前記特別遊技状態になる可能性があることを示唆する示唆演出を実行することがあり、
前記リーチ演出として、前記示唆演出の後に、前記特別遊技状態になる可能性が高いことを示唆する高期待度リーチ演出を実行することがあることを特徴とする。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にすることが可能な遊技機において、
画像表示部を含む所定の演出手段を用いて演出を実行可能な演出制御手段を備え、
前記演出制御手段は、
前記画像表示部において、背景画像を表示可能であり、
所定の背景画像を表示しているときに、当該背景画像を隠すための特定演出を実行することがあり、
前記特定演出に係る前記背景画像を隠すまでの過程として、少なくとも、第１過程と、前記第１過程と異なる演出内容で前記背景画像を隠す第２過程と、があり、
前記特定演出の実行タイミングには、第１のタイミングと、前記第１のタイミングと異なる第２のタイミングと、があり、
前記特定演出が前記第１のタイミングで実行される場合には、前記第１過程で前記背景画像を隠すときと、前記第２過程で前記背景画像を隠すときと、があり、
前記特定演出が前記第２のタイミングで実行される場合には、前記第１過程で前記背景画像を隠すことはないが、前記第２過程で前記背景画像を隠すときがあることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技状態にすることが可能な遊技機において、
画像表示部を含む所定の演出手段を用いて演出を実行可能な演出制御手段を備え、
前記演出制御手段は、
前記画像表示部において、背景画像を表示可能であり、
所定の背景画像を表示しているときに、当該背景画像を隠すための特定演出を実行することがあり、
前記特定演出に係る前記背景画像を隠すまでの過程として、少なくとも、第１過程と、前記第１過程と異なる演出内容で前記背景画像を隠す第２過程と、があり、
前記特定演出の実行タイミングには、第１のタイミングと、前記第１のタイミングと異なる第２のタイミングと、があり、
前記特定演出が前記第１のタイミングで実行される場合には、前記第１過程で前記背景画像を隠すときと、前記第２過程で前記背景画像を隠すときと、があり、
前記特定演出が前記第２のタイミングで実行される場合には、前記第１過程で前記背景画像を隠すことはないが、前記第２過程で前記背景画像を隠すときがあることを特徴とする。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にすることが可能な遊技機において、
表示部を含む所定の演出手段を用いて演出を実行可能な演出制御手段を備え、
前記演出制御手段は、
前記表示部において、所定の背景画像を表示し、当該所定の背景画像に重畳的に演出図柄の可変表示を実行可能であり、
前記演出図柄の可変表示において当該演出図柄を特定態様で停止表示させると、前記特別遊技状態になり、
前記所定の背景画像を一度隠して再度視認可能にさせる特定演出の後に、前記特別遊技状態になる可能性があることを示唆する示唆演出を実行することがあり、
前記示唆演出の後に、前記特別遊技状態になる可能性が高いことを示唆する高期待度演出を実行することがあり、
前記特定演出は、第１のタイミングで実行されるときと、第２のタイミングで実行されるときがあり、
前記第１のタイミングで前記特定演出が実行されたときと、前記第２のタイミングで前記特定演出が実行されたときとで、前記示唆演出が実行される確率が異なることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技状態にすることが可能な遊技機において、
表示部を含む所定の演出手段を用いて演出を実行可能な演出制御手段を備え、
前記演出制御手段は、
前記表示部において、所定の背景画像を表示し、当該所定の背景画像に重畳的に演出図柄の可変表示を実行可能であり、
前記演出図柄の可変表示において当該演出図柄を特定態様で停止表示させると、前記特別遊技状態になり、
前記所定の背景画像を一度隠して再度視認可能にさせる特定演出の後に、前記特別遊技状態になる可能性があることを示唆する示唆演出を実行することがあり、
前記示唆演出の後に、前記特別遊技状態になる可能性が高いことを示唆する高期待度演出を実行することがあり、
前記特定演出は、第１のタイミングで実行されるときと、第２のタイミングで実行されるときがあり、
前記第１のタイミングで前記特定演出が実行されたときと、前記第２のタイミングで前記特定演出が実行されたときとで、前記示唆演出が実行される確率が異なることを特徴とする。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
識別情報の可変表示において特定結果が導出されると遊技者に有利な特別遊技状態になり、前記識別情報の可変表示において前記特定結果と異なる非特定結果が導出されると前記特別遊技状態にならない遊技機において、
所定の演出手段を用いて演出を実行可能な演出制御手段を備え、
前記演出制御手段は、
前記識別情報の可変表示が実行されているときに、前記特別遊技状態になる可能性があることを示唆する特別演出と、前記特別遊技状態になるか否かを示唆する特定演出と、を実行可能であり、
前記特別演出は、前記識別情報の可変表示で前記特定結果が導出されることに応じて、前記特別遊技状態になることを示唆する第１結果示唆演出を実行して終了する場合と、前記識別情報の可変表示で前記非特定結果が導出されることに応じて、前記特別遊技状態にならないことを示唆する第２結果示唆演出を実行して終了する場合と、があり、
前記識別情報の可変表示において前記特定結果または前記非特定結果が導出される前に、前記第２結果示唆演出が実行され、当該第２結果示唆演出の実行に応じて、前記特定演出が実行されるか否かの煽り演出が実行されることがあり、
前記煽り演出が実行された場合、当該煽り演出で前記特定演出が実行されることが導出されたことに応じて当該煽り演出が終了されて前記特定演出が実行されるときと、前記非特定結果が導出される際に、当該煽り演出で前記特定演出が実行されないことが導出されたことに応じて当該煽り演出が終了され、そのまま前記非特定結果であることを報知する演出が実行されるときとがあることを特徴とする遊技機。
【手続補正２】
【補正対象書類名】明細書
【補正対象項目名】０００６
【補正方法】変更
【補正の内容】
【０００６】
本発明に係る遊技機は、
識別情報の可変表示において特定結果が導出されると遊技者に有利な特別遊技状態になり、前記識別情報の可変表示において前記特定結果と異なる非特定結果が導出されると前記特別遊技状態にならない遊技機において、
所定の演出手段を用いて演出を実行可能な演出制御手段を備え、
前記演出制御手段は、
前記識別情報の可変表示が実行されているときに、前記特別遊技状態になる可能性があることを示唆する特別演出と、前記特別遊技状態になるか否かを示唆する特定演出と、を実行可能であり、
前記特別演出は、前記識別情報の可変表示で前記特定結果が導出されることに応じて、前記特別遊技状態になることを示唆する第１結果示唆演出を実行して終了する場合と、前記識別情報の可変表示で前記非特定結果が導出されることに応じて、前記特別遊技状態にならないことを示唆する第２結果示唆演出を実行して終了する場合と、があり、
前記識別情報の可変表示において前記特定結果または前記非特定結果が導出される前に、前記第２結果示唆演出が実行され、当該第２結果示唆演出の実行に応じて、前記特定演出が実行されるか否かの煽り演出が実行されることがあり、
前記煽り演出が実行された場合、当該煽り演出で前記特定演出が実行されることが導出されたことに応じて当該煽り演出が終了されて前記特定演出が実行されるときと、前記非特定結果が導出される際に、当該煽り演出で前記特定演出が実行されないことが導出されたことに応じて当該煽り演出が終了され、そのまま前記非特定結果であることを報知する演出が実行されるときとがあることを特徴とする。
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にすることが可能な遊技機において、
所定の演出手段を用いて演出を実行可能な演出制御手段を備え、
前記演出制御手段は、
前記特別遊技状態になる可能性があることを示唆する特別演出と、前記特別遊技状態になるか否かを示唆する特定演出と、を実行可能であり、
前記特別演出において、前記特別遊技状態にならない可能性が高いことが示唆された後に、前記特定演出が実行される可能性があることを示唆する示唆演出を実行することがあり、
前記示唆演出の後に前記特定演出を実行することがあり、
前記特別演出において、前記特別遊技状態にならない可能性が高いことが示唆された後に前記示唆演出が実行されない場合は、当該示唆に応じてそのまま前記特別遊技状態にならないことが報知され、
前記示唆演出が実行された場合、当該示唆演出において前記特定演出が実行されることが示唆されてそのまま前記特定演出が実行されるときと、当該示唆演出において前記特定演出が実行されないことが示唆されてそのまま前記特別遊技状態にならないことが報知されるときと、があることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技状態にすることが可能な遊技機において、
所定の演出手段を用いて演出を実行可能な演出制御手段を備え、
前記演出制御手段は、
前記特別遊技状態になる可能性があることを示唆する特別演出と、前記特別遊技状態になるか否かを示唆する特定演出と、を実行可能であり、
前記特別演出において、前記特別遊技状態にならない可能性が高いことが示唆された後に、前記特定演出が実行される可能性があることを示唆する示唆演出を実行することがあり、
前記示唆演出の後に前記特定演出を実行することがあり、
前記特別演出において、前記特別遊技状態にならない可能性が高いことが示唆された後に前記示唆演出が実行されない場合は、当該示唆に応じてそのまま前記特別遊技状態にならないことが報知され、
前記示唆演出が実行された場合、当該示唆演出において前記特定演出が実行されることが示唆されてそのまま前記特定演出が実行されるときと、当該示唆演出において前記特定演出が実行されないことが示唆されてそのまま前記特別遊技状態にならないことが報知されるときと、があることを特徴とする。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
ベース部材と、
ケーブル群と、
前記ケーブル群を結束する第１の結束バンドと、
前記ケーブル群を前記ベース部材に固定する第２の結束バンドと、を有し、
前記第１の結束バンドと前記第２の結束バンドを区別可能な態様とした遊技機。
【請求項２】
前記第１の結束バンドと、前記第２の結束バンドとは、色が異なっている、請求項１に記載の遊技機。
【請求項３】
前記第１の結束バンドと、前記第２の結束バンドとは、サイズが異なっている、請求項１又は２に記載の遊技機。
【請求項４】
前記ベース部材に対して移動可能な移動部材と、
前記移動部材に搭載され、前記ケーブル群が接続された基板と、を有し、
前記第１の結束バンドは、前記ケーブル群のうち前記基板側の端部から所定の長さの位置を結束している、請求項１から３の何れか１の請求項に記載の遊技機。
【請求項５】
前記第１の結束バンドと、前記第２の結束バンドは、前記ケーブル群の延在方向で隣に並べられている、請求項１から４の何れか１の請求項に記載の遊技機。
【手続補正２】
【補正対象書類名】明細書
【補正対象項目名】０００２
【補正方法】変更
【補正の内容】
【０００２】
従来から、可動部材や発光部材等を備えた遊技機が知られている（例えば、特許文献１参照）。このような遊技機では、複数のケーブルが備えられる。
【手続補正３】
【補正対象書類名】明細書
【補正対象項目名】０００４
【補正方法】変更
【補正の内容】
【０００４】
部品交換の作業効率の向上を図ることが可能な遊技機が望まれる。
【手続補正４】
【補正対象書類名】明細書
【補正対象項目名】０００５
【補正方法】変更
【補正の内容】
【０００５】
第１の手段は、ベース部材と、ケーブル群と、前記ケーブル群を結束する第１の結束バンドと、前記ケーブル群を前記ベース部材に固定する第２の結束バンドと、を有し、前記第１の結束バンドと前記第２の結束バンドを区別可能な態様とした遊技機である。
【手続補正５】
【補正対象書類名】明細書
【補正対象項目名】０００６
【補正方法】削除
【補正の内容】
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
遊技球が流下可能な流下路と、
遊技球が進入可能で前記流下路から分岐する分岐路と、
前記流下路内に突出して、前記流下路を流下する遊技球を前記分岐路に誘導する突出位置と、前記突出位置よりも引っ込んで、引き続き遊技球に前記流下路を流下させる退避位置と、に移動可能な振分部材と、を有し、
前記振分部材は、前記突出位置に配置される際に、前記流下路内に前記分岐路の入口と対向する位置から突出する遊技機。
【請求項２】
前記振分部材は、前記退避位置と前記突出位置の間を回動可能になっていて、その回動中心部から回動半径方向に延びる張出部と、前記張出部から前記振分部材の回動方向に突出する球受突部と、を備え、前記突出位置では、前記流下路内に前記球受突部を突出させ、前記退避位置では、前記突出位置よりも前記球受突部を引っ込ませる、請求項１に記載の遊技機。
【請求項３】
前記流下路を囲む壁面部と、
前記壁面部に形成され、前記突出位置で前記振分部材を前記流下路内に突出させるための開口部と、を有し、
前記壁面部から突出して上下方向に延在すると共に、前記開口部より上流側から前記流下路を流下してきた遊技球と当接して該遊技球を前記開口部から遠ざけるレールを少なくとも１つ有する、請求項１又は２に記載の遊技機。
【手続補正２】
【補正対象書類名】明細書
【補正対象項目名】０００２
【補正方法】変更
【補正の内容】
【０００２】
特許文献１の遊技機では、前後にスライドして遊技球の流路を開閉するシャッターによって、遊技球が振り分けられる。
【手続補正３】
【補正対象書類名】明細書
【補正対象項目名】０００５
【補正方法】変更
【補正の内容】
【０００５】
上記課題を解決するためになされた請求項１の発明は、遊技球が流下可能な流下路と、遊技球が進入可能で前記流下路から分岐する分岐路と、前記流下路内に突出して、前記流下路を流下する遊技球を前記分岐路に誘導する突出位置と、前記突出位置よりも引っ込んで、引き続き遊技球に前記流下路を流下させる退避位置と、に移動可能な振分部材と、を有し、前記振分部材は、前記突出位置に配置される際に、前記流下路内に前記分岐路の入口と対向する位置から突出する遊技機である。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
乱数値を取得して当否を決定する抽選を行い、当該抽選の結果に応じて遊技を進行させる遊技機であって、
遊技の進行に応じて演出を実行する演出制御手段を備え、
前記演出制御手段が、
所定の契機毎に所定のカウンタの更新条件が成立したか否かを判断し、更新条件が成立したことに基づいて所定のカウンタを更新し、所定のカウンタの値が実行条件を満たす場合に所定の演出を実行し、所定のカウンタの値が実行条件を満たした場合であっても設定示唆演出の実行禁止区間である場合には所定の演出の実行を保留し、実行禁止区間の終了後以降の遊技において保留されている所定の演出を実行することを特徴とする遊技機。
【請求項２】
請求項１において、
前記演出制御手段が、
前記所定の演出の実行が保留されている場合に、前記所定の演出の実行禁止区間に該当せず、かつ前記所定のカウンタの更新条件が成立したことに基づいて、保留されている前記所定の演出を実行することを特徴とする遊技機。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
異なる放射線のエネルギーで撮影した放射線画像に含まれる複数の物質について物質特性画像を生成する生成手段と、
前記複数の物質の位置として前記放射線画像における画素または複数の画素により構成される領域ごとに異なる放射線エネルギーを設定し、前記異なる放射線エネルギーに基づいて再構成画像を生成する再構成手段と、
を備えることを特徴とする放射線撮影装置。
【請求項２】
前記再構成手段は、前記複数の物質の位置として前記放射線画像における画素ごとに、前記異なる放射線エネルギーを設定することを特徴とする請求項１に記載の放射線撮影装置。
【請求項３】
前記再構成手段は、前記複数の物質の位置として前記領域ごとに、前記異なる放射線エネルギーを設定することを特徴とする請求項１に記載の放射線撮影装置。
【請求項４】
放射線発生手段からの単一の放射線照射によって得られた複数の放射線画像から低エネルギーの放射線分布情報と、エネルギーレベルの高い高エネルギーの放射線分布情報とを取得する取得手段を更に備えることを特徴とする請求項１乃至３のいずれか１項に記載の放射線撮影装置。
【請求項５】
前記生成手段は、前記低エネルギーの放射線分布情報および前記高エネルギーの放射線分布情報から前記複数の物質に分離した画像を前記物質特性画像として生成することを特徴とする請求項４に記載の放射線撮影装置。
【請求項６】
前記生成手段は、前記分離した画像として前記複数の物質の厚さ、または密度の分布を示す画像を生成することを特徴とする請求項５に記載の放射線撮影装置。
【請求項７】
前記生成手段は、前記低エネルギーの放射線分布情報および前記高エネルギーの放射線分布情報から前記複数の物質の分布を示す画像を前記物質特性画像として生成することを特徴とする請求項４に記載の放射線撮影装置。
【請求項８】
前記生成手段は、前記分布を示す画像として前記複数の物質の実効原子番号の分布を示す画像、または前記複数の物質の面密度の分布を示す面密度画像を生成することを特徴とする請求項７に記載の放射線撮影装置。
【請求項９】
前記複数の物質と前記異なる放射線エネルギーとを対応付けるエネルギーテーブルを作成する作成手段を更に備え、
前記再構成手段は、前記エネルギーテーブルを参照して、前記複数の物質の位置ごとに異なる放射線エネルギーを設定することを特徴とする請求項１乃至８のいずれか１項に記載の放射線撮影装置。
【請求項１０】
前記再構成手段は、設定を段階的に変更した異なる放射線エネルギーに基づいて前記再構成画像を順次生成し、
前記作成手段は、前記再構成画像を解析し、前記複数の物質のコントラストに関する評価情報を取得することを特徴とする請求項９に記載の放射線撮影装置。
【請求項１１】
前記評価情報には、前記複数の物質に対応する各領域における画素値の平均値を差分することにより取得されるコントラストが含まれることを特徴とする請求項１０に記載の放射線撮影装置。
【請求項１２】
前記評価情報には、前記コントラストと、前記複数の物質のうちいずれか一方の物質に対応する領域における画素値の標準偏差と、の比として取得されるＣＮＲ(Contrast to Noise Ratio)が含まれることを特徴とする請求項１０または１１に記載の放射線撮影装置。
【請求項１３】
前記作成手段は、前記評価情報が最大値となるように、前記複数の物質ごとに異なる放射線エネルギーを設定することを特徴とする請求項１０乃至１２のいずれか１項に記載の放射線撮影装置。
【請求項１４】
前記作成手段は、操作手段から設定された放射線エネルギーに基づいて、前記エネルギーテーブルを作成することを特徴とする請求項９に記載の放射線撮影装置。
【請求項１５】
前記作成手段は、前記操作手段から予め設定された複数の放射線エネルギーのうち撮影情報に応じて変更した放射線エネルギーに基づいて、前記エネルギーテーブルを作成することを特徴とする請求項１４に記載の放射線撮影装置。
【請求項１６】
前記複数の物質の実効原子番号及び前記放射線エネルギーに対応する減弱係数の情報を保持するテーブルを記憶する記憶手段を更に備え、
前記再構成手段は、前記複数の物質の実効原子番号及び前記放射線エネルギーに対応する減弱係数に対応する減弱係数の情報と、前記複数の物質の面密度の分布を示す面密度画像とに基づいて、前記再構成画像を生成することを特徴とする請求項１乃至１５のいずれか１項に記載の放射線撮影装置。
【請求項１７】
異なる放射線のエネルギーで撮影した放射線画像に含まれる複数の物質を抽出する抽出手段と、
前記複数の物質の位置として前記放射線画像における画素または複数の画素により構成される領域ごとに異なる放射線エネルギーを設定し、前記異なる放射線エネルギーに基づいて再構成画像を生成する再構成手段と、
を備えることを特徴とする放射線撮影装置。
【請求項１８】
前記再構成画像を表示手段に表示させる表示制御手段を更に備え、
前記表示制御手段は、前記再構成画像の表示とともに、異なる放射線エネルギーの設定を連続的に変更するユーザーインターフェイスを前記表示手段に表示させることを特徴とする請求項１乃至１７のいずれか１項に記載の放射線撮影装置。
【請求項１９】
放射線撮影装置による放射線撮影方法であって、
異なる放射線のエネルギーで撮影した放射線画像に含まれる複数の物質について物質特性画像を生成する生成工程と、
前記複数の物質の位置として前記放射線画像における画素または複数の画素により構成される領域ごとに異なる放射線エネルギーを設定し、前記異なる放射線エネルギーに基づいて再構成画像を生成する再構成工程と、
を有することを特徴とする放射線撮影方法。
【請求項２０】
放射線撮影装置による放射線撮影方法であって、
異なる放射線のエネルギーで撮影した放射線画像に含まれる複数の物質を抽出する抽出工程と、
前記複数の物質の位置として前記放射線画像における画素または複数の画素により構成される領域ごとに異なる放射線エネルギーを設定し、前記異なる放射線エネルギーに基づいて再構成画像を生成する再構成工程と、
を有することを特徴とする放射線撮影方法。
【請求項２１】
コンピュータに、請求項１９または２０に記載の放射線撮影方法の各工程を実行させるためのプログラム。
【手続補正２】
【補正対象書類名】明細書
【補正対象項目名】０００７
【補正方法】変更
【補正の内容】
【０００７】
本発明の一態様による放射線撮影装置は以下の構成を備える。すなわち、放射線撮影装置は、異なる放射線のエネルギーで撮影した放射線画像に含まれる複数の物質について物質特性画像を生成する生成手段と、
前記複数の物質の位置として前記放射線画像における画素または複数の画素により構成される領域ごとに異なる放射線エネルギーを設定し、前記異なる放射線エネルギーに基づいて再構成画像を生成する再構成手段と、
を備えることを特徴とする。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
遊技盤、前記遊技盤の保持枠又は前記保持枠に取り付けられる補助枠に設けられて所定の遊技演出に基づく制御信号により駆動制御される電気的駆動部を有すると共に所定の区間を往復移動可能な可動部と、
前記制御信号を前記可動部に出力可能な制御部と、
可撓性を有し前記制御信号を伝達可能に前記可動部と前記制御部を接続する配線と、
関節部により屈曲可能に接続されている複数の分割ケース部を有しており一端側が前記遊技盤、前記保持枠又は前記補助枠に取り付けられ他端側が前記可動部に固定されてこれらの分割ケース部内を前記配線が挿通されている配線ケースと、
を備えることを特徴とする遊技機。
【請求項２】
前記配線ケースの前記一端側は、前記遊技盤の盤面方向及びその反対方向にスライド移動可能に前記遊技盤、前記保持枠又は前記補助枠に取り付けられていることを特徴とする請求項１に記載の遊技機。
【請求項３】
前記配線ケースは、前記関節部を２箇所以上に有し、
前記可動部は、前記所定区間を直線的に移動することを特徴とする請求項１又は請求項２に記載の遊技機。
【請求項４】
前記配線ケースは、遊技盤に接触しない範囲内で当該遊技盤に向けて前記関節部が突出するように屈曲することを特徴とする請求項１乃至請求項３の何れか一項に記載の遊技機。
【請求項５】
前記配線の前記可動部側は、前記可動部と前記配線ケースの前記他端側とにより挟持されていることを特徴とする請求項１乃至請求項４の何れか一項に記載の遊技機。
【請求項６】
前記配線の前記可動部側と前記可動部との間、及び／又は、前記配線の前記可動部側と前記配線ケースの前記他端側との間、には緩衝部材が介在していることを特徴とする請求項５に記載の遊技機。
【請求項７】
前記配線の前記可動部側は、前記可動部に対して粘着テープにより貼付されていることを特徴とする請求項１乃至請求項６の何れか一項に記載の遊技機。
【手続補正２】
【補正対象書類名】明細書
【補正対象項目名】０００９
【補正方法】変更
【補正の内容】
【０００９】
この様な遊技機によれば、可動部が有する電気的駆動部とこの可動部に制御信号を出力可能な制御部との間を接続する配線は、可撓性を有すると共に、配線ケースが有する複数の分割ケース部内に挿通されている。そして、複数の分割ケース部は、関節部により屈曲可能に接続されており、一端側が前記遊技盤、保持枠又は補助枠に取り付けられ他端側が可動部に固定されている。これにより、可動部が所定の区間を往復移動しても、このような配線は、可動部の往復移動に伴って屈曲する配線ケースの分割ケース部内に存在するため、配線ケース外で移動する可動部に対して配線が接触するのを防止することが可能となる。
（１）また、第２発明の遊技機は、第１発明の遊技機において、
前記配線ケースの前記一端側は、前記遊技盤の盤面方向及びその反対方向にスライド移動可能に前記遊技盤、前記保持枠又は前記補助枠に取り付けられていることを特徴とするものである。
（２）また、第３発明の遊技機は、第１発明又は第２発明の遊技機において、
前記配線ケースは、前記関節部を２箇所以上に有し、
前記可動部は、前記所定区間を直線的に移動することを特徴とするものである。
（３）また、第４発明の遊技機は、第１発明乃至第３発明の何れか一つの遊技機において、
前記配線ケースは、遊技盤に接触しない範囲内で当該遊技盤に向けて前記関節部が突出するように屈曲することを特徴とするものである。
（４）また、第５発明の遊技機は、第１発明乃至第４発明の何れか一つの遊技機において、
前記配線の前記可動部側は、前記可動部と前記配線ケースの前記他端側とにより挟持されていることを特徴とするものである。
（５）また、第６発明の遊技機は、第５発明の遊技機において、
前記配線の前記可動部側と前記可動部との間、及び／又は、前記配線の前記可動部側と前記配線ケースの前記他端側との間、には緩衝部材が介在していることを特徴とするものである。
（６）また、第７発明の遊技機は、第１発明乃至第６発明の何れか一つの遊技機において、
前記配線の前記可動部側は、前記可動部に対して粘着テープにより貼付されていることを特徴とするものである。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
常法の量の水を加えて炊いた米飯に、水を含む所定の量の液体を吸収させる水分吸収ステップと、
前記水分吸収ステップで液体を吸収させた米飯を凍結する凍結ステップと、
前記凍結した米飯と、所定の量のスープを凍結した複数の氷片とを混合する混合ステップと
を備えることを特徴とする冷凍粥製造方法。
【請求項２】
前記水分吸収ステップは、所定時間、室温より高い所定の温度で実行することを特徴とする請求項１に記載の冷凍粥製造方法。
【請求項３】
前記水分吸収ステップにおける液体の所定の量は、重量で前記米飯の８０〜８６％であり、前記スープの所定の量は、前記米飯の７０〜７６％であることを特徴とする請求項１または２に記載の冷凍粥製造方法。
【請求項４】
前記液体は、前記スープであることを特徴とする請求項１ないし３のいずれかに記載の冷凍粥製造方法。
【請求項５】
前記複数の氷片は、水またはスープを凍結した後粉砕して粒状にして製造されることを特徴とする請求項１ないし４のいずれかに記載の冷凍粥製造方法。
【請求項６】
請求項１ないし５のいずれかに記載の冷凍粥製造方法により製造した冷凍粥。
【請求項７】
前記混合ステップにより混合された凍結した米飯および複数の氷片を充填する電子レンジ解凍加熱用包装手段を備えたことと特徴とする請求項６に記載の冷凍粥。
【請求項８】
請求項６または７に記載の冷凍粥を加熱して解凍する冷凍粥解凍方法であって、
前記加熱により、前記解凍加熱用包装手段に封入された複数の氷片を解凍して水にする氷片解凍ステップと、
前記解凍された水をさらに加熱して、所定の内圧を超えると加熱を停止する加熱停止ステップと
を備えたことを特徴とする冷凍粥解凍方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項５に記載の発明は、請求項１ないし４のいずれかに記載の冷凍粥製造方法において、複数の氷片は、水またはスープを凍結した後粉砕して粒状にして製造されることを特徴とする。
【手続補正５】
【補正対象書類名】明細書
【補正対象項目名】００１５
【補正方法】変更
【補正の内容】
【００１５】
請求項６に記載の発明は、冷凍粥であって、請求項１ないし５のいずれかに記載の冷凍粥製造方法により製造したことを特徴とする。
【手続補正６】
【補正対象書類名】明細書
【補正対象項目名】００１６
【補正方法】変更
【補正の内容】
【００１６】
請求項７に記載の発明は、請求項６に記載の冷凍粥であって、混合ステップにより混合された凍結した米飯および複数の氷片を充填する電子レンジ解凍加熱用包装手段を備えたことと特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
請求項８に記載の発明は、請求項６または７に記載の冷凍粥を加熱して解凍する冷凍粥解凍方法であって、加熱により、解凍加熱用包装手段に封入された複数の氷片を解凍して水にする氷片解凍ステップと、解凍された水をさらに加熱して、所定の内圧を超えると加熱を停止する加熱停止ステップとを備えたことを特徴とする。
【手続補正９】
【補正対象書類名】明細書
【補正対象項目名】００１９
【補正方法】削除
【補正の内容】